(57)【特許請求の範囲】
【請求項１】
上部フレーム（３）と、該上部フレーム（３）の両端近傍下側に略垂直方向に連結したサイドフレーム（４）と、で構成され、内周側に開口（５）を有するゲート型のフレーム（２）と、
前記上部フレーム（３）内に回動自在に備えられるとともに駆動手段（１１）に連結された回転シャフト（１０）と、
前記サイドフレーム（４）内に左右の端部がそれぞれ位置する配置で、前記回転シャフト（１０）に巻き取り及び繰り出し自在に吊り下げられ、繰り出すことにより、前記フレーム（２）の内周側の開口（５）を閉鎖可能としたシート（６）と、を具備し、
前記上部フレーム（３）の底部には、長手方向に沿って、前記シート（６）が通過する通過用開口部（２３）が形成され、
前記サイドフレーム（４）内にはそれぞれガイドレール（１４）が備えられ、
前記シート（６）は、
左右両端に上下方向に間隔を置いて備えた、前記ガイドレール（１４）に係合する複数のガイドブロック（１３）と、
表面及び裏面に上下方向に向けて備えた、１又は複数個の接触防止具（１８）と、
前記フレーム（２）の内周側の開口（５）を閉鎖した状態において、前記上部フレーム（３）の底部上面に当接する遮断片（２１）と、を具備し、
前記接触防止具（１８）は、前記シート（６）を挟んで互いに対向する位置に備えるとともに、
前記シート（６）の表面に備えた接触防止具（１８ａ）は山型に形成した突出部（１９）を備えており、前記シート（６）の裏面に備えた接触防止具（１８ｂ）は前記突出部（１９）が嵌合する凹部（２０）を備え、
前記遮断片（２１）は、シート（６）の幅方向全域に突設されるとともに、シート（６）の繰り出し方向に折り畳み自在として、シート（６）によって前記フレーム（２）の内周側の開口（５）を全閉した状態においては、遮断片（２１）によって前記通過用開口部（２３）を閉鎖し、シート（６）を巻き上げた状態においては、繰り出し方向へ折りたたまれることでシート（６）とともに巻き上げられる、ことを特徴とするシートシャッター。
【発明の詳細な説明】
【技術分野】
【０００１】
本発明はシートシャッターに係り、より詳しくは、上部フレームと左右のサイドフレームで構成されるフレーム内に吊り下げたシートを巻き取りあるいは繰り出すことでフレーム内の開口を開閉自在としたシートシャッターにおいて、外気が屋内に入り込むことを防止可能としたシートシャッターに関する。
【背景技術】
【０００２】
従来から、工場、倉庫等においては、外部からのゴミ、虫等の侵入を防止するために、また風が工場、倉庫等の内部に入り込むことを防止するために、出入り口にシートシャッターを取り付けることが行われている。そして、このシートシャッターによって出入り口を閉鎖することで、風が工場内等に入り込むことを防止するとともに更、に、ゴミ、虫等が工場内、倉庫内に入り込むことも防止可能である。
【０００３】
ここで、従来のシートシャッターについて説明すると、図８は従来のシートシャッター５１を説明するための図であり、図８において、従来のシートシャッター５１は、工場、倉庫等の出入口に取り付けられるフレーム５２を有しており、このフレーム５２は、上部フレーム５３と、この上部フレーム５３の両端近傍下側に略垂直方向に連結したサイドフレーム５４とで構成されたゲート型をしており、このフレーム５２内の開口５５を開閉自在な配置で、シート５６が、巻き取り及び繰り出し自在に吊り下げられている。
【０００４】
即ち、前記上部フレーム５３内には図示しない回転シャフトが回転自在に取り付けられており、この回転シャフトには、これを回転させるための駆動手段であるモーターが連結されている。
【０００５】
また、回転シャフトには、シート５６が吊り下げられており、このシート５６は、回転シャフトに吊り下げることで、左右の端部が前記サイドフレーム５４内に位置する寸法とし、これにより、フレーム５２内の開口５５を閉鎖可能としている。
【０００６】
そして、このような構成において、シート５６がフレーム５２内の開口５５を閉鎖している状態において、モーターを駆動させて回転シャフトを一方方向に回転させると、シート５６が回転シャフトに巻き取られながら上昇していき、これにより、シート５６で閉鎖されていたフレーム５２内の開口５５を解放することができる。
【０００７】
一方、シート５６が上昇しており、従ってフレーム５２内の開口５５が解放されている状態で、前記モーターを前記と逆方向に回転させて、回転シャフトを前記と逆方向に回転させると、回転シャフトに巻き取られていたシート５６が繰り出され、これにより、シート５６を下降し、フレーム５２内の開口５５をシート５６で閉鎖することが可能である。なお、シートシャッター５１の取り付けに際しては、取り付ける工場、倉庫等の内部の圧力等によって、正面側を屋内側に向ける場合と、裏面側を屋内側に向ける場合があり、限定されてはいない。
【０００８】
ここで、図９は、前記上部フレーム５３の内部を説明するための図であり、図８におけるＣ−Ｃ線端面の一部を示す図である。そして、図において５３が上部フレーム、５７が回転シャフト、５６が前記回転シャフト５７に巻き取り又は繰り出し自在に吊り下げられたシートである。また、上部フレーム５３は、底部分に開口５８が形成されており、この開口５８を介して、前記シート５６が繰り出されてフレーム５２で囲まれた空間５５を閉鎖可能としている。
【０００９】
そのために、従来のシートシャッター５１では、図９に矢印で示すように、回転シャフト５７の周囲を通って、外気が、開口５８を介して屋内側へ流入してしまう問題点が指摘されていた。
【００１０】
そこで、従来は、シャッターのこのような問題点を解決するために、前記開口を閉鎖するための各種の方法が提案されていた。即ち、特開２０１４−０５１８０３号公報に記載の方法では、シャッター全閉時にシートを撓ませることで開口を閉鎖する方法としており、特開２００２−３８８４１号公報に記載の方法では、袋状にした形成した隙間閉塞手段をシャッターカーテンに取り付ける方法としており、特開平１１−１８２１５９号公報に記載の方法では、一対の閉塞片を用いて開口を閉塞する方法を採用している。
【先行技術文献】
【特許文献】
【００１１】
【特許文献１】特開２０１４−０５１８０３号公報
【特許文献２】特開２００２−０３８８４１号公報
【特許文献３】特開平１１−１８２１５９号公報
【発明の概要】
【発明が解決しようとする課題】
【００１２】
しかしながら、上記いずれの方法も、複雑の構成等を採用しなければならず、全体の製造コストが上がってしまうという問題点が指摘されている。
【００１３】
そこで、本発明は、上部フレームと左右フレームとで構成されるゲート型フレーム内の開口をシートで開閉自在としたシートシャッターにおいて、製造コストを上げることなく、上部フレームの底部に形成した開口部を介して外気が入り込むことを防止して、遮断性能を向上させることを可能としたシートシャッターを提供することを課題としている。
【課題を解決するための手段】
【００１４】
本発明のシートシャッターは、
上部フレームと、該上部フレームの両端近傍下側に略垂直方向に連結したサイドフレームとで構成され、内周側に開口を有するゲート型のフレームと、
前記上部フレーム内に回動自在に備えられるとともに駆動手段に連結された回転シャフトと、
前記サイドフレーム内に左右の端部がそれぞれ位置する配置で、前記回転シャフトに巻き取り及び繰り出し自在に吊り下げられ、繰り出すことにより、前記フレーム内周側の開口を閉鎖可能としたシートと、を具備し、
前記上部フレームの底部には、長手方向に沿って、前記シートが通過する通過用開口部が形成され、
前記サイドフレーム内にはそれぞれガイドレールが備えられ、
前記シートは、
左右両端に上下方向に間隔を置いて備えた、前記ガイドレールに係合する複数のガイドブロックと、
表面及び裏面に上下方向に向けて備えた、１又は複数個の接触防止具と、
前記フレームの内周側の開口を閉鎖した状態において、前記上部フレームの底部上面に当接する遮断片と、を具備し、
前記接触防止具は、前記シートを挟んで互いに対向する位置に備えるとともに、
前記シートの表面に備えた接触防止具は山型に形成した突出部を備えており、前記シートの裏面に備えた接触防止具は前記突出部が嵌合する凹部を備え、
前記遮断片は、シートの幅方向全域に突設されるとともに、シートの繰り出し方向に折り畳み自在として、シートによって前記フレームの内周側の開口を全閉した状態においては、遮断片によって前記通過用開口部を閉鎖し、シートを巻き上げた状態においては、繰り出し方向へ折りたたまれることでシートとともに巻き上げられる、ことを特徴としている。
【発明の効果】
【００１５】
本発明のシートシャッターでは、シートを繰り出して、フレームの内周側の開口をシートによって閉鎖した状態において、上部フレームの底部上面に当接する遮断片をシートに具備しており、これにより、シートによってフレームの内周側の開口を全閉した状態においては、遮断片によって上部フレームの底部に形成した開口部を閉鎖することとしている。
【００１６】
そのために、本発明のシートシャッターでは、シートを繰り出して、フレームの内周側の開口をシートで全閉した状態において、外気が、回転シャフトの周囲を回り込みながら、上部フレームの底部に形成した開口部を介して屋内側に入り込むことを防止することが可能である。
【図面の簡単な説明】
【００１７】
【図１】本発明のシートシャッターの実施例の正面図である。
【図２】図１におけるＡ−Ａ線断面構造を示した図である。
【図３】本発明のシートシャッターの実施例の駆動機構を説明するための図である。
【図４】本発明のシートシャッターの実施例におけるシートを説明するための図である。
【図５】本発明のシートシャッターの実施例における遮断片を説明するための図である。
【図６】本発明のシートシャッターの実施例における遮断片の作用を説明するための図であり、図１におけるＢ−Ｂ線断面を示す図である。
【図７】本発明のシートシャッターの実施例における接触防止具を説明するための図である。
【図８】従来のシートシャッターを説明するための図である。
【図９】図８におけるＣ−Ｃ線端面を示す図である。
【発明を実施するための形態】
【００１８】
本発明のシートシャッターは、工場、倉庫等の出入口に取り付けられるフレームと、このフレームで囲まれた開口を閉鎖可能な配置でフレーム内に吊り下げられたシートを有しており、フレームは、上部フレームと、この上部フレームの両端近傍下側に略垂直方向に連結したサイドフレームとで構成され、全体としてゲート型としており、従って内周側には開口を有している。
【００１９】
そして、上部フレーム内には回転シャフトが回動自在に備えられており、この回転シャフトは、モーター等の駆動手段に連結され、駆動手段を駆動することで回転シャフトを回動自在としている。
【００２０】
また、上部フレーム内において回転シャフトには、シートが、巻き取り及び繰り出し自在に吊り下げられるとともに、上部フレームの底部には、長手方向に沿って、前記シートが通過する開口部が形成されている。そして、回転シャフトを回動して回転シャフトにシートを巻き取り、あるいは巻き取っているシートを繰り出すことで、上部フレームの底部に形成した開口部を介して、シートを上昇させてフレームの内周側の開口を開放し、あるいは、シートを下降させてフレームの内周側の開口をシートで閉鎖することを可能にしている。
【００２１】
一方、サイドフレームはそれぞれ、内部にガイドレールが立設されるとともに、対向する側には開口が形成されており、サイドフレーム内にシートの幅方向の両端部分が挿装されている。
【００２２】
そして、シートは、左右両端に上下方向に間隔を置いて、前記ガイドレールに係合する複数のガイドブロックを有しており、表面及び裏面には上下方向に向けて、１又は複数個の接触防止具を具備している。
【００２３】
また、シートは遮断片を有しており、この遮断片は、シートによってフレームの内周側の開口を閉鎖した状態において、上部フレームの底部上面に当接する位置に配置している。
【００２４】
更に、遮断片は、シートの幅方向全域に突設されるとともに、シートの繰り出し方向に折り畳み自在として、シートによってフレームの内周側の開口を全閉した状態において、遮断片によって、上部フレームの底部に形成した開口部を閉鎖し、シートを巻き上げた状態においては、繰り出し方向へ折りたたまれることでシートとともに巻き上げられることとしている。
【００２５】
また、シートの表面及び裏面に備えた接触防止具は、シートを挟んで互いに対向する位置に備えており、これにより、シートの表面及び裏面を確実に非接触にすることが可能である。
【００２６】
更に、シートの表面に備えた接触防止具には、山型に形成した突出部を備えるとともに、シートの裏面に備えた接触防止具には、前記突出部が嵌合する凹部を備えており、これにより、シートを巻き取る際あるいは巻き取った際に、シートの表面に備えた接触防止具の突出部を、シートの裏面に備えた接触防止具の凹部に嵌合させ、互いの位置を固定することができるとともに、巻き上げたシートが大きくなることを防止することもできる。
【実施例１】
【００２７】
本発明のシートシャッターの実施例について図面を参照して説明すると、図１は本実施例のシートシャッターの正面図であり、また、図２は図１におけるＡ−Ａ線断面構造を示す図であり、図において１が本実施例のシートシャッターである。
【００２８】
そして、本実施例のシートシャッター１では、上部フレームとサイドフレームとで構成されるゲート型のフレームを有しており、従って、フレームの内周側には、出入口となる開口を有しており、この開口を開閉自在な配置で、フレーム内にシートが吊り下げられている。
【００２９】
即ち、図１において３が上部フレーム、４がサイドフレーム、５がフレームの内周側の開口（以下「フレーム内開口」という。）、及び６がシートであり、本実施例において前記サイドフレーム４は、前記上部フレーム３の両端近傍の下側に、略垂直方向に向けて連結されている。
【００３０】
そして、図２において前記サイドフレーム４は、横断平面形状を略Ｌ字形状としており、正面側の側壁７と、左右側の側壁８とを有しており、側方側の開口が互いに対向する配置で、前記上部フレーム３に連結されている。そしてそれにより、正面視野において、上部フレーム３と左右のサイドフレーム４とで、ゲート型のフレーム２が構成されており、このフレーム２を、工場、倉庫等の出入り口に取り付けることとしている。
【００３１】
即ち、本実施例においては、前記サイドフレーム４内には取付部９が備えられており、この取付部９を、工場、倉庫等における柱、壁等の取付箇所２４にボルト等２５によって取り付けることで、フレーム２の位置を固定するとともに、シートシャッター１を取り付けることとしている。
【００３２】
なお、フレーム２の取付方法は特に限定されず、必ずしも取付部９によってフレーム２を取付箇所に取り付ける必要はなく、フレーム２を取付箇所に取り付けることでシートシャッター１を取り付ければよい。従って、例えば、サイドフレーム４に背面側の側壁を具備して、この背面側の側壁を取付箇所に取り付けてもよく、その他の方法でフレーム２を取付箇所に取り付けてもよい。また、前述したように、シートシャッター１の取り付けに際しては、取り付ける工場、倉庫等の内部の圧力等によって、正面側を屋内側に向ける場合と、裏面側を屋内側に向ける場合があり、限定されてはいない。
【００３３】
次に、前記上部フレーム３内には回転シャフトが幅方向に向けて備えられ、この回転シャフトに、前記フレーム内空間５を閉鎖可能な配置で、シート６が吊り下げられており、このシート６を上昇あるいは下降することで、フレーム内空間５、即ち、工場、倉庫等の出入り口を開閉自在としている。
【００３４】
ここで、前記シート６を上昇あるいは下降させるための機構について図３を参照して説明すると、図３は前記上部フレーム３内の構造を示す概略図であり、上部フレーム３内を平面から見た状態を示している。そして、図３において前記上部フレーム３内には、左右方向に向けて、回転シャフト１０が回動自在に配設されており、この回転シャフト１０は、駆動手段としてのモーター１１の回転軸に連結されており、これにより、モーター１１を駆動することで回転シャフト１０を回動可能としている。なお、本実施例においては、正面視野に置いて前記上部フレーム３の左側にモーター室１２を配置して、このモーター室１２内にモーター１１を備えている。
【００３５】
そして、前記回転シャフト１０にはシート６が吊り下げられており、シート６の上端部分は回転シャフト１０に固着されている。そのために、前記モーター１１を駆動して回転シャフト１０を一方方向に回転させると、前記シート６は回転シャフト１０に巻き取られていきその下端部分が上昇し、一方、前記シート６が回転シャフト１０に巻き取られている状態で前記モーター１１を前記と逆方向に回転させると、回転シャフト１０に巻き取られていたシート６は巻きほどかれて繰り出され、これによりシート６を下降させることが可能となる。従って、本実施例のシートシャッター１は、従来のシートシャッターと同様に、モーター１１の駆動によってシート６を上昇あるいは下降させて、工場、倉庫等の出入り口を開閉可能としている。
【００３６】
次に、前記シート６について説明すると、図４は前記シート６の正面側の一部を示す図であり、本実施例において前記シート６は、ポリエステル等の樹脂製としており、左右側の端部には上下方向に多数個のガイドブロックを取り付けている。即ち、図において１３がガイドブロックであり、本実施例において前記シート６の左右側の端部には、上下方向に向けて、多数個のガイドブロック１３を取り付けている。そして、このガイドブロック１３を、前記サイドフレーム４内に備えたガイドレールに係合することで、シート６の巻き取り及び繰り出しの際に、シート６の位置を維持しながら行うことを可能にしている。
【００３７】
ここで、前記ガイドブロック１３とガイドレールとの関係について説明すると、図２において前記サイドフレーム４内には、前記ガイドブロック１３が係合するガイドレールが備えられている。即ち、図２において１４がガイドレールであり、本実施例において前記ガイドレール１４は、サイドフレーム４内の上下方向に向けて立設された長尺状としている。そして、内部には長手方向に沿ってガイド溝１５が形成されており、更に、シート６側には長手方向に沿って、シート６をガイド溝１５内に挿入するための切り欠き１６が形成されており、前記ガイドブロック１３をガイド溝１４に係合することとしている。
【００３８】
そして、前記ガイドレール１４は、前記サイドフレーム４における左右側の側壁の１又は複数個所に基端部を固定したスプリング１７の先端側に連結されており、これにより、前記ガイドレール１４を介して、常に前記シート６を左右側に付勢してシート６にテンションを与えており、また、例えばシート６に何らかの衝撃が加わってシート６が歪んでしまった場合でも、元の位置に復帰することを可能にしている。
【００３９】
次に、図１、４において１８は接触防止具である。即ち、本実施例のシートシャッター１では、前記シート６の表裏面に、上下方向に向けて２本の接触防止具１８を、熱溶着により備えるとともに、シート６の表面に備えた接触防止具１８ａとシート６の裏面に備えた接触防止具１８ｂを、前記シート６を挟んで互いに対向する位置に備えて、この接触防止具１８の存在により、シート６を巻き上げたときに、シート６の表裏面が互いに接触して損傷してしまうことを防止している。
【００４０】
即ち、本実施例におけるシートシャッター１では、シート６を巻き上げたときには、接触防止具１８どうしが接触し、シート６の表面及び裏面が互いに直接的に接触することが無いので、シート６の表面及び裏面の損傷を防止することができ、シートシャッターをどのような向きで工場、倉庫等の入り口に設置した場合でも、見栄えが悪くなることが無いとともに、シートの寿命を長くすることが可能である。
【００４１】
ここで、前記接触防止具１８について説明すると、図７は接触防止具１８の構造を説明するための断面図であり、接触防止具１８の構造を長手方向に見た場合の状態を説明するための断面図であり、図において１８が接触防止具、６がシートである。そして、図７に示す接触防止具１８では、シート６の表面に備えられる接触防止具１８ａでは、長手方向に向いて見た場合の中央部分を山型に隆起させて突出部１９を形成するとともに、その突出部１７の左右側は平坦状にしている。一方、シート６の裏面に備えた接触防止具１８ｂでは、長手方向に向いて見た場合の中央部分に突出部を形成するとともに、その突出部の左右側は平坦にし、更に、突出部には、シート６の表面に備えられる接触防止具１８ａの突出部１９が嵌合する凹部２０が形成されている。
【００４２】
そのために、本実施例における接触防止具１８では、前述のように、シート６の表面に備えた接触防止具１８ａとシート６の裏面に備えた接触防止具１８ｂを、シート６を挟んで互いに対向する位置に備えているために、シート６を巻き取る際あるいは巻き取った際に、シート６の表面に備えた接触防止具１８ａの突出部１９を、シート６の裏面に備えた接触防止具１８ｂの凹部２０に嵌合させることができるので、接触防止具１８の互いの位置を固定することができるとともに、巻き上げたシート６が大きくなることを防止することもできる。なお、接触防止具１８の素材に関しては、樹脂製、ラバー製特に限定されず、更に備える方法も溶着、接着、縫製等いずれでもよい。
【００４３】
次に、図４において２１は遮断片である。即ち、本実施例のシートシャッター１では、前記シート６に遮断片２１を備えており、この遮断片２１よって、フレーム内開口５をシート６で全閉した状態において、回転シャフト１０の周囲を回り込みながら上部フレーム３の底部に形成した開口部を介して外気が屋内側に入り込むことを防止している。
【００４４】
ここで、前記遮断片２１について詳細に説明すると、図５は前記シート６における遮断片１９を備えた部分の近傍を示す縦断側面の一部を示した図であり、図６は図１におけるＢ−Ｂ線端面を示す図である。そして、図において前記上部フレーム３は、正面側側壁２２ａ、背面側側壁２０ｂ、天井部２２ｃ及び底部２２ｄで構成される壁部２２を有しており、底部２２ｄには、長手方向に沿って、前記シート６が通過するための通過用開口部２３が形成されている。
【００４５】
一方、本実施例において前記遮断片２１は、前記シート６と同様のポリエステル等の樹脂製としており、前記シート６の正面に、前記シート６の幅方向全域に、シートシャッター１の正面側に向けて、シート６の面と直交する方向に向けて突設している。
【００４６】
そして、前記遮断片２１は、シート６を繰り出してフレーム内開口５を完全に閉鎖した状態において、前記上部フレーム３における底部２２ｄに当接する配置に突設されている。
【００４７】
また、前記遮断片２１は、シート６を繰り出す方向、即ち、下方向へ折り畳み自在としており、折り畳むことで、シート６と平行方向に向いてシート６に密着可能として、一方、シート６の巻き上げ方向、即ち、上方向へは容易には折り畳むことができない構成としている。図５においてＡ方向がシート６の繰り出し方向、Ｂ方向が巻き上げ方向であり、図５において遮断片２１は、矢印Ｃで示すように、シート６の繰り出し方向へ折りたたみ自在としている。
【００４８】
そのために、前記遮断片２１は、シート６を繰り出してフレーム内開口５を完全に閉鎖した状態においては、前記上部フレーム３における底部２２ｄに当接することで、シート６の正面側においては、上部フレーム３の通過用開口部２３を閉鎖することとしている。そしてそれにより、フレーム内空間５をシート６で全閉した状態において、回転シャフト１０の周囲を回り込みながら上部フレーム３の通過用開口部２１を介して外気が屋内側に入り込むことを防止することが可能である。
【００４９】
一方、本実施例において前記遮断片２１は、下方向へ折り畳み自在としているために、フレーム内開口５を開放するためにシート６を巻き上げていくと、回転シャフト１０によって下方向に押されることで折り畳まれてシート６に密着し、それによって、シート６とともに回転シャフト１０に巻き上げられることになる。図６（ｂ）が、遮断片１９が折り畳まれながらシート６とともに回転シャフト１０に巻き上げられる過程を示しており、図６（ａ）は、前記遮断片１９が前記上部フレーム３における底部２０ｄに当接することで、シート６の正面側において上部フレーム３の通過用開口部２１を閉鎖している状態を示した図である。
【００５０】
このように、本実施例のシートシャッター１では、シート６を繰り出してフレーム内空間を完全に閉鎖した状態において上部フレーム３における底部２２ｄに当接する配置で、シート６の長手方向全域に遮断片２１を突設するとともに、この遮断片２１を、シート６の繰り出し方向に折り畳み自在として、巻き上げ方向へは折り畳まれないようにしているために、シート６を繰り出してフレーム内開口５を完全に閉鎖した状態においては、遮断片２１が上部フレーム３における底部２２ｄに当接し、シート６の正面側において上部フレーム３の通過用開口部２３を閉鎖し、回転シャフト１０の周囲を回り込みながら上部フレーム３の通過用開口部２３を介して外気が屋内側に入り込むことを防止することが可能である。
【００５１】
そしてこのとき、本実施例においては、シート６にシートの幅方向全域に遮断片２１を、シート６の繰り出し方向に折り畳み自在にして取り付けるのみであるために、複雑な機構等を採用する必要も無く、製造コストを抑えることが可能である。
【００５２】
なお、前述の説明では、遮断片２１をシート６の正面側に向けて突設した場合を説明したが、必ずしもシート６の正面側に突設する必要は無く、シート６の裏面側に突設しても良い。
【００５３】
また、遮断片２１をシート６の繰り出し方向にのみ折り畳み自在にしてシート６に取り付ける方法としては、例えば、遮断片２１の側面における下側部分のみをシート６に接着等により固着し、それ以外の部分はシート６に接着させずにフリーな状態にするとよく、それにより、遮断片２１をシート６の繰り出し方向にのみ折り畳み自在にすることができる。但し、この方法に限定されるものではなく、シート６の繰り出し方向に折り畳み自在として、巻き上げ方向へは折り畳まれないようにしてあれば、いずれの方法により遮断片２１をシート６に取り付けてもよい。
【産業上の利用可能性】
【００５４】
本発明のシートシャッターでは、シートを繰り出してフレーム内空間を完全に閉鎖した状態において、シートの正面側又は裏面側において上部フレームの通過用開口部を閉鎖して、回転シャフトの周囲を回り込みながら上部フレームの通過用開口部を介して外気が屋内側に入り込むことを防止可能としているため、回転シャフトによってシートを巻き上げ又は繰り出すシートシャッターの全般に適用可能である。
【符号の説明】
【００５５】
１    シートシャッター
２    フレーム
３    上部フレーム
４    サイドフレーム
５    フレームの内周側の開口
６    シート
７    サイドフレームの正面側の側壁
８    サイドフレームの左右側の側壁
９    取付部
１０    回転シャフト
１１    モーター
１２    モーター室
１３    ガイドブロック
１４    ガイドレール
１５    ガイド溝
１６    切り欠き
１７    スプリング
１８    接触防止具
１９    突出部
２０    凹部
２１    遮断片
２２    壁部
２２ａ  正面側側壁
２２ｂ  背面側側壁
２２ｃ  天井部
２２ｄ  底部
２３    通過用開口部
２４    取付箇所
２５    ボルト
【図１】
0006465647.tif 000002
【図２】
0006465647.tif 000003
【図３】
0006465647.tif 000004
【図４】
0006465647.tif 000005
【図５】
0006465647.tif 000006
【図６】
0006465647.tif 000007
【図７】
0006465647.tif 000008
【図８】
0006465647.tif 000009
【図９】
0006465647.tif 000010